(57)【要約】  本発明は、ビデオメガネの眼球追跡モジュールに関し、少なくとも２つの赤外光源（１）と、画像センサー本体（２−１）及び画像センサー本体（２−１）の前方に設置された赤外線フィルタ（２−２）を含む少なくとも１つの画像センサーユニット（２）と、少なくとも１つの赤外線カットオフフィルタデバイス（３）と、を含み、赤外光源（１）は眼球の側前方領域に固定して設置されて、眼球（１０）へ赤外光を放射し、眼球（１０）により赤外光が反射されて、眼球（１０）で反射点を形成し；画像センサーユニット（２）はビデオメガネの視認可能な角度のエッジ又は外部に固定して設置され；赤外線カットオフフィルタデバイス（３）は眼球反射光路と画像センサーの収集領域との間にある重なり領域に設置されて、眼球映像を画像センサー本体（２−１）に反射し、それにより画像センサー本体（２−１）で眼球映像を収集させる。前記眼球追跡モジュールは、構成が簡単で、占有空間が小さく、眼球追跡精度が高いという利点を有する。
2019516204.tif 000002
【特許請求の範囲】
【請求項１】
ビデオメガネの眼球追跡モジュールであって、
少なくとも２つの赤外光源（１）と、画像センサー本体（２−１）及び前記画像センサー本体（２−１）の前方に設置された赤外線フィルタ（２−２）を含む少なくとも１つの画像センサーユニット（２）と、少なくとも１つの赤外線カットオフフィルタデバイス（３）と、を含み、
前記赤外光源（１）は、眼球の側前方領域に固定して設置されて、眼球に赤外光を放射し、眼球により赤外光が反射されて、眼球で反射点を形成し、前記画像センサーユニット（２）は、ビデオメガネの視認可能な角度のエッジ又は外部に固定して設置され、
前記赤外線カットオフフィルタデバイス（３）は、眼球反射光路と画像センサーの収集領域の間の重なり領域に設置されて、眼球映像を前記画像センサー本体（２−１）に反射し、前記画像センサー本体（２−１）で眼球映像を収集させることを特徴とするビデオメガネの眼球追跡モジュール。
【請求項２】
眼球の視認可能な角度の外部に少なくとも１つのレンズ（９）が設置され、前記レンズ（９）は赤外線カットオフフィルタデバイス（３）から画像センサーユニット（２）までの間の伝送光路に設置されて、歪みを解消し及び／又は画像を補償して復元することを特徴とする請求項１に記載のビデオメガネの眼球追跡モジュール。
【請求項３】
前記赤外線カットオフフィルタデバイス（３）はディスプレイスクリーン（８）のスクリーン表面に備え、及び／又は
前記赤外線カットオフフィルタデバイス（３）はディスプレイスクリーンの赤外反射被覆層又は赤外反射フィルムであることを特徴とする請求項１又は２に記載のビデオメガネの眼球追跡モジュール。
【請求項４】
前記赤外線カットオフフィルタデバイス（３）はビデオメガネの接眼レンズ（５）とディスプレイスクリーン（８）との間の領域に固定して設置され、且つ、外縁がビデオメガネの視認可能な角度の外部に位置することを特徴とする請求項１に記載のビデオメガネの眼球追跡モジュール。
【請求項５】
前記赤外光源（１）はビデオメガネの視認可能な角度の外部に固定して設置され、且つ、ビデオメガネの接眼レンズ（５）の外縁にあるハウジングに套設されることを特徴とする請求項１に記載のビデオメガネの眼球追跡モジュール。
【請求項６】
ビデオメガネハウジング（７）に取付溝（７−１）が開設されており、前記画像センサーユニット（２）は前記取付溝（７−１）によって前記ビデオメガネハウジング（７）に固定されることを特徴とする請求項１に記載のビデオメガネの眼球追跡モジュール。
【請求項７】
前記赤外光源（１）と前記画像センサーユニット（２）にそれぞれ接続された主制御ユニット（６）をさらに備えることを特徴とする請求項１に記載のビデオメガネの眼球追跡モジュール。
【請求項８】
前記赤外光源（１）は、第１インターフェースを介して、前記主制御ユニット（６）に接続され、但し、前記第１インターフェースは、主制御ユニット（６）が前記赤外光源（１）に制御信号を送信するための単方向インターフェース、及び／又は、給電機能を兼備するインターフェースであり
前記画像センサーユニット（２）は、第２インターフェースを介して、前記主制御ユニット（６）に接続され、但し、前記第２インターフェースは、主制御ユニット（６）と画像センサーユニット（２）との間で制御信号及び／又はデータ信号伝送を行う両方向インターフェース、及び／又は、給電機能を兼備するインターフェースであることを特徴とする請求項７に記載のビデオメガネの眼球追跡モジュール。
【請求項９】
当該眼球追跡モジュールは、単眼球追跡モジュール又は両眼球追跡モジュールであることを特徴とする請求項１に記載のビデオメガネの眼球追跡モジュール。
【請求項１０】
前記眼球追跡モジュールは、単眼球追跡モジュールである場合、単眼球赤外光源、少なくとも１つの単眼球画像センサーユニット及び少なくとも１つの単眼球赤外線カットオフフィルタデバイスを含み、
前記眼球追跡モジュールは、両眼球追跡モジュールである場合、左眼球赤外光源、少なくとも１つの左眼球画像センサーユニット、少なくとも１つの左眼球赤外線カットオフフィルタデバイス、右眼球赤外光源、少なくとも１つの右眼球画像センサーユニット及び少なくとも１つの右眼球赤外線カットオフフィルタデバイスを含み、
前記左眼球画像センサーユニットと前記右眼球画像センサーユニットは独立して設置され、又は同一画像センサーユニットを共用し、
前記左眼球赤外線カットオフフィルタデバイスと前記右眼球赤外線カットオフフィルタデバイスは独立して設置され、又は同一赤外線カットオフフィルタデバイスを共用することを特徴とする請求項９に記載のビデオメガネの眼球追跡モジュール。
【請求項１１】
前記両眼球追跡モジュールは、左眼球主制御ユニットと右眼球主制御ユニットがさらに配置され、前記左眼球主制御ユニットは前記左眼球赤外光源と前記左眼球画像センサーユニットにそれぞれ接続され、前記右眼球主制御ユニットは前記右眼球赤外光源と前記右眼球画像センサーユニットにそれぞれ接続されることを特徴とする請求項１０に記載のビデオメガネの眼球追跡モジュール。
【請求項１２】
前記左眼球主制御ユニットと前記右眼球主制御ユニットは独立して設置され、又は１つの主制御ユニットとして集積されることを特徴とする請求項１１に記載のビデオメガネの眼球追跡モジュール。
【請求項１３】
ビデオメガネの眼球追跡モジュールであって、
少なくとも２つの赤外光源（１）と、少なくとも１つの画像センサーユニット（２）と、少なくとも１つの赤外線カットオフフィルタデバイス（３）とを含み、
前記赤外光源（１）は、眼球の側前方領域に固定して設置されて、眼球に赤外光を放射し、眼球により赤外光が反射されて、眼球で反射点を形成し、
前記赤外線カットオフフィルタデバイス（３）は、眼球反射光路と画像センサーの収集領域との間の重なり領域に設置されて、眼球映像を前記画像センサーユニット（２）に反射し、前記画像センサーユニット（２）で眼球映像を収集させることを特徴とするビデオメガネの眼球追跡モジュール。
【請求項１４】
前記画像センサーユニット（２）は、ビデオメガネの視認可能な角度のエッジ又は外部に固定して設置されることを特徴とする請求項１３に記載のビデオメガネの眼球追跡モジュール。
【請求項１５】
前記画像センサーユニット（２）は、画像センサー本体（２−１）及び前記画像センサー本体（２−１）の前方に設置された赤外線フィルタ（２−２）を含み、前記赤外線カットオフフィルタデバイス（３）は、眼球映像を前記画像センサー本体（２−１）に反射して、前記画像センサー本体（２−１）で眼球映像を収集させることを特徴とする請求項１４に記載のビデオメガネの眼球追跡モジュール。
【請求項１６】
眼球の視認可能な角度の外部に少なくとも１つのレンズ（９）が設置され、前記レンズ（９）は赤外線カットオフフィルタデバイス（３）から前記画像センサーユニット（２）までの間の伝送光路に設置されて、歪みを解消し及び／又は画像を補償して復元することを特徴とする請求項１３に記載のビデオメガネの眼球追跡モジュール。
【請求項１７】
前記赤外線カットオフフィルタデバイス（３）は、ディスプレイスクリーン（８）のスクリーン表面に備え、及び／又は
前記赤外線カットオフフィルタデバイス（３）は、ディスプレイスクリーンの赤外反射被覆層又は赤外反射フィルムであることを特徴とする請求項１３又は１４に記載のビデオメガネの眼球追跡モジュール。
【請求項１８】
前記赤外光源（１）はビデオメガネの視認可能な角度の外部に固定して設置され、且つ、ビデオメガネの接眼レンズ（５）の外縁にあるハウジングに套設されることを特徴とする請求項１３に記載のビデオメガネの眼球追跡モジュール。
【請求項１９】
ビデオメガネハウジング（７）に取付溝（７−１）が開設されており、前記画像センサーユニット（２）は前記取付溝（７−１）によって前記ビデオメガネハウジング（７）に固定されることを特徴とする請求項１３に記載のビデオメガネの眼球追跡モジュール。
【請求項２０】
前記赤外光源（１）と前記画像センサーユニット（２）にそれぞれ接続された主制御ユニット（６）をさらに備えることを特徴とする請求項１３に記載のビデオメガネの眼球追跡モジュール。
【請求項２１】
前記赤外光源（１）は、第１インターフェースを介して、前記主制御ユニット（６）に接続され、但し、前記第１インターフェースは、主制御ユニット（６）が前記赤外光源（１）に制御信号を送信するための単方向インターフェース、及び／又は、給電機能を兼備するインターフェースであり、
前記画像センサーユニット（２）は、第２インターフェースを介して、前記主制御ユニット（６）に接続され、但し、前記第２インターフェースは、主制御ユニット（６）と画像センサーユニット（２）との間で制御信号及び／又はデータ信号伝送を行う両方向インターフェース、及び／又は、給電機能を兼備するインターフェースであることを特徴とする請求項２０に記載のビデオメガネの眼球追跡モジュール。
【請求項２２】
該眼球追跡モジュールは、単眼球追跡モジュール又は両眼球追跡モジュールであることを特徴とする請求項１３に記載のビデオメガネの眼球追跡モジュール。
【請求項２３】
前記眼球追跡モジュールは、単眼球追跡モジュールである場合、単眼球赤外光源、少なくとも１つの単眼球画像センサーユニット及び少なくとも１つの単眼球赤外線カットオフフィルタデバイスを含み、
前記眼球追跡モジュールは、両眼球追跡モジュールである場合、左眼球赤外光源、少なくとも１つの左眼球画像センサーユニット、少なくとも１つの左眼球赤外線カットオフフィルタデバイス、右眼球赤外光源、少なくとも１つの右眼球画像センサーユニット及び少なくとも１つの右眼球赤外線カットオフフィルタデバイスを含み、
前記左眼球画像センサーユニットと前記右眼球画像センサーユニットは独立して設置され、又は同一画像センサーユニットを共用し、
前記左眼球赤外線カットオフフィルタデバイスと前記右眼球赤外線カットオフフィルタデバイスは独立して設置され、又は同一赤外線カットオフフィルタデバイスを共用することを特徴とする請求項２２に記載のビデオメガネの眼球追跡モジュール。
【請求項２４】
前記両眼球追跡モジュールは、左眼球主制御ユニットと右眼球主制御ユニットがさらに配置され、前記左眼球主制御ユニットは前記左眼球赤外光源と前記左眼球画像センサーユニットにそれぞれ接続され、前記右眼球主制御ユニットは前記右眼球赤外光源と前記右眼球画像センサーユニットにそれぞれ接続されることを特徴とする請求項２３に記載のビデオメガネの眼球追跡モジュール。
【請求項２５】
前記左眼球主制御ユニットと前記右眼球主制御ユニットは独立して設置され、又は１つの主制御ユニットとして集積されることを特徴とする請求項２４に記載のビデオメガネの眼球追跡モジュール。
【発明の詳細な説明】
【技術分野】
【０００１】
本発明は眼球追跡の技術分野に属し、具体的に、ビデオメガネの眼球追跡モジュールに関する。
【背景技術】
【０００２】
眼球追跡は、機械、電子、光学などの各種の検出手段により受検者が現在「見ている方向」を取得する技術である。コンピュータビジョン、人工知能技術及びデジタル化技術の高速発展に伴い、現在、眼球追跡技術は研究が盛んに行われている分野になり、ヒューマンコンピュータインタラクションの分野に幅広く応用されており、たとえば、車両運転支援、仮想現実、認知障害診断などに用いられ得る。
【０００３】
従来の眼球追跡装置は、一般的に、構造が複雑で、占有空間が大きく、眼球追跡精度に限度があるなどの欠点を有する。
【発明の概要】
【０００４】
従来技術に存在する欠陥に対して、本発明は、上記問題を効果的に解決できるビデオメガネの眼球追跡モジュールを提供する。
【０００５】
本発明は下記技術案を用いる。
本発明は、少なくとも２つの赤外光源（１）と、画像センサー本体（２−１）及び前記画像センサー本体（２−１）の前方に設置された赤外線フィルタ（２−２）を含む少なくとも１つの画像センサーユニット（２）と、少なくとも１つの赤外線カットオフフィルタデバイス（３）と、を含み、
前記赤外光源（１）は、眼球の側前方領域に固定して設置されて、眼球に赤外光を放射し、眼球により赤外光が反射されて、眼球で反射点を形成し、
前記画像センサーユニット（２）は、ビデオメガネの視認可能な角度のエッジ又は外部に固定して設置され、前記赤外線カットオフフィルタデバイス（３）は、眼球反射光路と画像センサーの収集領域との間の重なり領域に設置されて、眼球映像を前記画像センサー本体（２−１）に反射し、前記画像センサー本体（２−１）で眼球映像を収集させるビデオメガネの眼球追跡モジュールを提供する。
【０００６】
好ましくは、眼球の視認可能な角度の外部に少なくとも１つのレンズ（９）が設置され、前記レンズ（９）は赤外線カットオフフィルタデバイス（３）から画像センサーユニット（２）までの間の伝送光路に設置されて、歪みを解消し及び／又は画像を補償して復元する。
【０００７】
好ましくは、前記赤外線カットオフフィルタデバイス（３）は、ディスプレイスクリーン（８）のスクリーン表面に備え、及び／又は、ディスプレイスクリーンの赤外反射被覆層又は赤外反射フィルムである。
【０００８】
好ましくは、前記赤外線カットオフフィルタデバイス（３）は、ビデオメガネの接眼レンズ（５）とディスプレイスクリーン（８）との間の領域に固定して設置され、且つ、外縁がビデオメガネの視認可能な角度の外部に位置する。
【０００９】
好ましくは、前記赤外光源（１）は、ビデオメガネの視認可能な角度の外部に固定して設置され、且つ、ビデオメガネの接眼レンズ（５）の外縁にあるハウジングに套設される。
【００１０】
好ましくは、ビデオメガネのハウジング（７）に取付溝（７−１）が開設されており、前記画像センサーユニット（２）は前記取付溝（７−１）によって前記ビデオメガネのハウジング（７）に固定される。
【００１１】
好ましくは、前記赤外光源（１）と前記画像センサーユニット（２）にそれぞれ接続された主制御ユニット（６）をさらに備える。
【００１２】
好ましくは、前記赤外光源（１）は、第１インターフェースを介して、前記主制御ユニット（６）に接続され、但し、前記第１インターフェースは、主制御ユニット（６）が前記赤外光源（１）に制御信号を送信するための単方向インターフェース、及び／又は、給電機能を兼備するインターフェースであり、
【００１３】
前記画像センサーユニット（２）は、第２インターフェースを介して、前記主制御ユニット（６）に接続され、但し、前記第２インターフェースは、主制御ユニット（６）と画像センサーユニット（２）との間で制御信号及び／又はデータ信号伝送を行う両方向インターフェース、及び／又は、給電機能を兼備するインターフェースである。
【００１４】
好ましくは、該眼球追跡モジュールは、単眼球追跡モジュール又は両眼球追跡モジュールである。
【００１５】
好ましくは、前記眼球追跡モジュールは、単眼球追跡モジュールである場合、単眼球赤外光源、少なくとも１つの単眼球画像センサーユニット及び少なくとも１つの単眼球赤外線カットオフフィルタデバイスを含み、
前記眼球追跡モジュールは、両眼球追跡モジュールである場合、左眼球赤外光源、少なくとも１つの左眼球画像センサーユニット、少なくとも１つの左眼球赤外線カットオフフィルタデバイス、右眼球赤外光源、少なくとも１つの右眼球画像センサーユニット及び少なくとも１つの右眼球赤外線カットオフフィルタデバイスを含み、
前記左眼球画像センサーユニットと前記右眼球画像センサーユニットは、独立して設置され、又は、同一画像センサーユニットを共用し、
前記左眼球赤外線カットオフフィルタデバイスと前記右眼球赤外線カットオフフィルタデバイスは、独立して設置され、又は同一赤外線カットオフフィルタデバイスを共用する。
【００１６】
好ましくは、前記両眼球追跡モジュールは、左眼球主制御ユニットと右眼球主制御ユニットがさらに配置され、前記左眼球主制御ユニットは前記左眼球赤外光源と前記左眼球画像センサーユニットにそれぞれ接続され、前記右眼球主制御ユニットは前記右眼球赤外光源と前記右眼球画像センサーユニットにそれぞれ接続される。
【００１７】
好ましくは、前記左眼球主制御ユニットと前記右眼球主制御ユニットは独立して設置され、又は１つの主制御ユニットとして集積される。
【００１８】
本発明によるビデオメガネの眼球追跡モジュールは、構成が簡単で、占有空間が小さく、眼球追跡精度が高いという利点がある。
【図面の簡単な説明】
【００１９】
【図１】本発明による単眼球追跡モジュールの立体構造模式図である。
【図２】本発明による赤外光源とビデオメガネのハウジングを組み立てたときの上面図である。
【図３】本発明による単眼球追跡モジュールにおける結像光路の模式図である。
【図４】本発明による両眼球追跡モジュールの立体構造模式図である。
【発明を実施するための形態】
【００２０】
前述した図面は、下記した符号を含む。
１、赤外光源；２、画像センサーユニット；２−１、画像センサー本体；２−２、赤外線フィルタ；３、赤外線カットオフフィルタデバイス；４、リング；５、接眼レンズ；６、主制御ユニット；７、ビデオメガネのハウジング；７−１、取付溝；８、ディスプレイスクリーン；９、レンズ；１０、眼球。
【００２１】
本発明が解決しようとする技術的問題、技術案及び有益な効果をより明瞭にするために、以下、図面及び実施例にて、本発明についてさらに詳細に説明する。なお、ここで説明する具体的な実施例は本発明を解釈するものであり、本発明を限定するものではない。
【００２２】
本発明は、仮想現実メガネ装置に設置でき、仮想現実メガネの内部構造の特別な設計により、眼球追跡を行うことで、ユーザがメガネをかけてメガネの前方にある表示端末を見るときに、眼球追跡技術により表示端末を操作して制御するとともに、ヒューマンコンピュータインタラクションと注視点レンダリングなどの機能を実現できるビデオメガネの眼球追跡モジュールを提供する。
【００２３】
本発明によるビデオメガネの眼球追跡モジュールは、単眼球追跡モジュールであってもよく、両眼球追跡モジュールであってもよく、図１に示すように、単眼球追跡モジュールの構造模式図であり、図４に示すように、両眼球追跡モジュールの構造模式図である。両眼球追跡モジュールは、２つの単眼球追跡モジュールを一体に組み合わせてなる製品であるため、単眼球追跡モジュールとは実現原理がほぼ同じであり、従って、説明の便宜のために、以下、単眼球追跡モジュールを例にして説明する。
【００２４】
図１−図３に示されるように、本発明によるビデオメガネの眼球追跡モジュールは、少なくとも２つの赤外光源１と、画像センサー本体２−１及び画像センサー本体２−１の前方に設置された赤外線フィルタ２−２を含む少なくとも１つの画像センサーユニット２と、少なくとも１つの赤外線カットオフフィルタデバイス３と、を含み、
赤外光源１は、眼球１０の側前方領域に固定して設置されて、眼球１０に赤外光を放射し、眼球１０により赤外光が反射されて、眼球１０で反射点を形成し、
画像センサーユニット２は、ビデオメガネの視認可能な角度のエッジ又は外部に固定して設置され、赤外線カットオフフィルタデバイス３は、眼球反射光路と画像センサーの収集領域との間の重なり領域に設置されて、眼球映像を画像センサー本体２−１に反射し、画像センサー本体２−１で眼球映像を収集させる。
【００２５】
図３に示されるように、眼球追跡モジュールの結像光路は、以下のとおりである。
（１）赤外光源１は、眼球１０に赤外光を放射し、眼球１０により赤外光が反射されて、眼球１０で反射点を形成する。
具体的に、人眼が感知可能な波長が３８０ｎｍ−７８０ｍｎであるので、使用者が支障なく表示端末を見るに影響しないように、赤外光源として、人眼の感受性が低く、危害が小さい近赤外光源が基本的に使用される。
（２）眼球１０に形成される反射点が赤外線カットオフフィルタデバイス３で反射されて、画像センサーユニットに結像される。
ここで、ほかの波長光線による画像への影響を解消するために、結像レンズの前に赤外線フィルタを増設して、ＬＥＤ光源からの光線しか結像レンズを通過することを許可しない。
【００２６】
従来、市販されている仮想現実メガネでは、一般的に、表示端末が直接接眼レンズの真後端に設置され、しかし、画像センサーユニットのレンズが接眼レンズの真後端に設置され、従って、このような設置形態では、ユーザが支障なくディスプレイスクリーンにある情報を見ることに影響を与える。本発明では、図示したとおり、接眼レンズの後方に赤外線カットオフフィルタデバイスが設置されており、赤外線カットオフフィルタデバイスの角度を調整して、眼球１０により反射された近赤外光をハウジングの側面に固定された結像レンズに反射させ、赤外線カットオフフィルタデバイスの大きさを決定するときに、この接眼レンズの最大視野のエッジでの光線を含む必要がある。
【００２７】
以上の設置形態によれば、眼球追跡を行うときに、ユーザが支障なくスプレイスクリーンにある情報を見ることに影響しない一方、画像センサーユニットがビデオメガネの視認可能な角度のエッジ又は外部に設置されているため、好ましくは、ビデオメガネのハウジング７に取付溝７−１を開設し、画像センサーを取付溝７−１によってビデオメガネのハウジング７に固定することができるようになり、このようにして、画像センサーを取り付けやすく且つさらなる空間を必要としない効果を有し、装置全体を小型化させる。
【００２８】
実際に使用されるとき、以上の構造を基礎にして、以下の改良をすることができる。
【００２９】
＜改良１＞
眼球の視認可能な角度の外部に少なくとも１つのレンズ９が設置され、レンズ９は赤外線カットオフフィルタデバイス３から画像センサーユニット２までの間の伝送光路に設置されて、歪みを解消し及び／又は画像を補償して復元することで、画像センサーによる画像収集精度を高める。
【００３０】
＜改良２＞
装置全体が占める体積をさらに減少させるために、赤外線カットオフフィルタデバイス３は直接ディスプレイスクリーン８のスクリーン表面に備え、及び／又は、ディスプレイスクリーンの赤外反射被覆層又は赤外反射フィルムであってもよい。
【００３１】
＜改良３＞
赤外線カットオフフィルタデバイス３は、ビデオメガネの接眼レンズとディスプレイスクリーンとの間の領域に固定され、且つ、外縁がビデオメガネの視認可能な角度の外部に位置し、それによって、眼球のいずれの位置に形成される反射点も赤外線カットオフフィルタデバイスを介して画像センサーに結像できることが確保される。
【００３２】
＜改良４＞
赤外光源１は、ビデオメガネの視認可能な角度の外部に設置され、且つ、ビデオメガネの接眼レンズ５の外縁にあるハウジングに套設される。このような構造によれば、赤外光源を取り付けやすく且つ占有空間が小さいという利点がある。具体的に、図１に示されるように、赤外光源１は、ビデオメガネの接眼レンズ５の外縁にあるリング４に套設され、前記リング４は環状回路基板であってもよく、ビデオメガネの接眼レンズ５の外縁にあるハウジング自体であってもよい。
【００３３】
＜改良６＞
赤外光源１と画像センサーユニット２にそれぞれ接続された主制御ユニット６をさらに備える。
【００３４】
なお、本発明における主制御ユニットは、独立した主制御回路基板であってもよく、携帯電話、タブレットＰＣなどの端末における主制御ユニットであってもよい。
【００３５】
赤外光源１は、第１インターフェースを介して、主制御ユニット６に接続され、但し、前記第１インターフェースは、主制御ユニット６が赤外光源１に制御信号を送信するための単方向インターフェース、及び／又は、給電機能を兼備するインターフェースであり
画像センサーユニット２は、第２インターフェースを介して、主制御ユニット６に接続され、但し、前記第２インターフェースは、主制御ユニット６と画像センサーユニット２との間で制御信号及び／又はデータ信号伝送を行う両方向インターフェース、及び／又は、給電機能を兼備するインターフェースである。
【００３６】
＜改良７＞
眼球追跡モジュールは、両眼球追跡モジュールである場合、左眼球赤外光源、少なくとも１つの左眼球画像センサーユニット、少なくとも１つの左眼球赤外線カットオフフィルタデバイス、右眼球赤外光源、少なくとも１つの右眼球画像センサーユニット及び少なくとも１つの右眼球赤外線カットオフフィルタデバイスを含み、
左眼球画像センサーユニットと右眼球画像センサーユニットは、独立して設置され、又は、同一画像センサーユニットを共用し、
左眼球赤外線カットオフフィルタデバイスと右眼球赤外線カットオフフィルタデバイスは、独立して設置され、又は、同一赤外線カットオフフィルタデバイスを共用する。
【００３７】
両眼球追跡モジュールは、左眼球主制御ユニットと右眼球主制御ユニットがさらに配置され、左眼球主制御ユニットは左眼球赤外光源と左眼球画像センサーユニットにそれぞれ接続され、右眼球主制御ユニットは右眼球赤外光源と右眼球画像センサーユニットにそれぞれ接続され、左眼球主制御ユニットと右眼球主制御ユニットは、独立して設置され、又は、１つの主制御ユニットとして集積される。
【００３８】
つまり、両眼球追跡モジュールは、左眼球追跡ユニット及び右眼球追跡ユニットが一部が同一であるデバイスを共用することができ、このように、両眼球追跡モジュールのコストを削減させる利点がある。
【００３９】
以上から分かるように、本発明によるビデオメガネの眼球追跡モジュールは、構成が簡単であり、占有空間が小さく、眼球追跡精度が高いという利点がある。
【００４０】
以上は、本発明の好適実施形態に過ぎず、なお、当業者であれば、本発明の原理を脱逸せずに、いくつかの改良や修飾をすることができ、これら改良や修飾も本発明の保護範囲に含まれる。
【符号の説明】
【００４１】
１  赤外光源
２  画像センサーユニット
２−１  画像センサー本体
２−２  赤外線フィルタ
３  赤外線カットオフフィルタデバイス
４  リング
５  接眼レンズ
６  主制御ユニット
７  ビデオメガネのハウジング
７−１  取付溝
８  ディスプレイスクリーン
９  レンズ
１０  眼球
【図１】
2019516204.tif 000003
【図２】
2019516204.tif 000004
【図３】
2019516204.tif 000005
【図４】
2019516204.tif 000006
【国際調査報告】
2019516204.tif 000007
2019516204.tif 000008
2019516204.tif 000009
2019516204.tif 000010
2019516204.tif 000011
2019516204.tif 000012